(57)【要約】【課題】読み取る原稿と読み取りユニットとの距離を、読み取りユニットの移動中でも安定して精度良く保ち、異常音の発生の無い画像読み取り装置を低コストで提供する。【解決手段】透明ガラス１表面に載置された原稿３を読み取りユニット４の走査により読み取る画像読み取り装置において、透明ガラス１裏面に被摺動部材２を固定し、読み取りユニット４の摺動部５が被摺動部材２と接しながら移動する構成とした。【選択図】      図１
2004252380.tif 000002
【特許請求の範囲】
【請求項１】
透明ガラス表面に載置された原稿を読み取りユニットの走査により読み取る画像読み取り装置において、透明ガラス裏面に被摺動部材を固定し、読み取りユニット側に設けた摺動部が被摺動部材と接しながら移動する構成としたことを特徴とする画像読み取り装置。
【請求項２】
請求項１記載の画像読み取り装置において、駆動プーリと従動プーリ間に掛け渡され、読み取りユニットを駆動する駆動部材を固定する固定位置が駆動プーリ上面と従動プーリ上面を結ぶ線よりも原稿と反対側にあることを特徴とする画像読み取り装置。
【請求項３】
請求項１記載の画像読み取り装置において、被摺動部材は金属からなることを特徴とする画像読み取り装置。
【請求項４】
請求項１記載の画像読み取り装置において、原稿読み取り時に駆動部材に張力を与える弾性部材を備えたことを特徴とする画像読み取り装置。
【請求項５】
請求項１記載の画像読み取り装置において、駆動部材と読み取りユニットの固定位置が、読み取りユニットの重心よりも原稿面に近い位置であることを特徴とする画像読み取り装置。
【発明の詳細な説明】
【０００１】
【発明の属する技術分野】
本発明は、複写機，ファクシミリ等の画像形成装置に適用され、読み取りユニットを用いて原稿画像情報を読み取る画像読み取り装置に関する。
【０００２】
【従来の技術】
例えば、特許文献１には、密着型イメージセンサを用い、長期にわたる安定した画像読み取りを可能にすることを目的として以下の技術が開示されている。即ち、原稿載置用コンタクトガラスと、ＡＤＦに備えられた原稿移動用コンタクトガラスとで密着型イメージセンサによる原稿の読み取りを可能にし、走行体に搭載された前記密着型イメージセンサが、読取モード変更により両コンタクトガラス間で移動するとき、ピニオンギアとラックとで密着型イメージセンサを下げることで、各コンタクトガラスと密着型イメージセンサとの間隔を一定に保持するローラを移動域の接触可能部分から離し、前記移動時のローラと密着型イメージセンサとにおける衝撃伝達、損傷の発生を防ぐものである。
また、例えば特許文献２には、体積が小さく、軽量で、走査データの映像を明晰に接収することができる、接触式映像センサーを利用したスキャナーの光程構造を提供することを目的として以下の技術が開示されている。
接触式映像センサーを光程構造内に設けて、該接触式映像センサーを透明ガラス層下方に密着、接触させると共に、透明ガラス層底部に沿って一定の距離を保ち移動させることにより、透明ガラス層上の走査データを接触式映像センサーの焦点範囲内に位置させる。
【特許文献１】特開平０７−２８８６５６号公報
【特許文献２】実用新案登録第３０４６６９９号
【０００３】
【発明が解決しようとする課題】
上記特開平０７−２８８６５６号公報記載の技術には、構成が複雑になるので、個々の部品に高い精度が要求されコストがかかると言う欠点がある。また、実用新案登録第３０４６６９９号記載の技術には、センサーを直接弾性体を用いて上方に押し付けることで、センサーの移動が不安定になるという欠点がある。またガラス部に直接移動体が接することで、こすれによる高い音が発生すると言う欠点がある。
本発明は、読み取る原稿と読み取りユニットとの距離を、読み取りユニットの移動中でも安定して精度良く保ち、異常音の発生の無い画像読み取り装置を低コストで提供することを目的とする。
【０００４】
【課題を解決するための手段】
上記目的を達成するために、請求項１記載の発明は、透明ガラス表面に載置された原稿を読み取りユニットの走査により読み取る画像読み取り装置において、透明ガラス裏面に被摺動部材を固定し、読み取りユニットの摺動部が被摺動部材と接しながら移動する構成とした画像読み取り装置を最も主要な特徴とする。
請求項２記載の発明は、請求項１記載の画像読み取り装置において、駆動プーリと従動プーリ間に掛け渡され、読み取りユニットを駆動する駆動部材を固定する固定位置が駆動プーリ上面と従動プーリ上面を結ぶ線よりも原稿と反対側にある画像読み取り装置を主要な特徴とする。
請求項３記載の発明は、請求項１記載の画像読み取り装置において、被摺動部材は金属からなる画像読み取り装置を主要な特徴とする。
請求項４記載の発明は、請求項１記載の画像読み取り装置において、原稿読み取り時に駆動部材に張力を与える弾性部材を備えた画像読み取り装置を主要な特徴とする。
請求項５記載の発明は、請求項１記載の画像読み取り装置において、駆動部材と読み取りユニットの固定位置が、読み取りユニットの重心よりも原稿面に近い位置である画像読み取り装置を主要な特徴とする。
【０００５】
【発明の実施の形態】
以下、本発明の実施の形態を図面に従って説明する。
図１は本発明の実施の形態に係る画像読み取り装置の構成図である。以下、その構成を動作と合わせて説明する。
透明ガラス１の上に原稿３を配置し、読み取りユニット４により原稿画像の読み取りを行う。読み取りユニット４は、図示は省略しているが密着イメージセンサとレンズアレイと光源とから構成されている。読み取りユニット４は、樹脂製の摺動部５が透明ガラス１の下面に固定された被摺動部材２と接して、駆動部材１０により図の左右方向に移動して画像を読み取る。被摺動部材２はステンレス等の金属からなる。駆動部材１０はワイヤやベルトなどからなり、駆動プーリ６と従動プーリ７に掛け渡されている。
被摺動部材２は、透明ガラス１の下面のうち、読み取りユニット４による読み取り範囲と干渉しない端縁部分に配置される。
樹脂製の摺動部５は、密着イメージセンサ、レンズアレイ、光源による読み取りの障害とならない端部位置に設けられ、同じく端部位置にある被摺動部材２と摺動する。
【０００６】
読み取りユニット４は、固定部材１１によって駆動部材１０と固定位置８で固定されている。読み取りユニット４は駆動プーリ６が回転することで、駆動部材１０が移動することで移動する。駆動部材１０は駆動プーリ６とスリップすることの無いように従動プーリ７によって張られた状態にある。
また、読み取りユニット４が原稿３との距離を保てるように駆動部材１０によって上方に力を受け、摺動部５と被摺動部材２が絶えず接する状態が保たれる。駆動部材１０が読み取りユニット４に上方に力を与えることができるのは、駆動プーリ上部６ａと従動プーリ上部７ａを結ぶ線よりも固定位置８が下方に位置する構成となっていることによる。また駆動部材１０と読み取りユニット４の固定位置８は、読み取りユニット１０の重心よりも原稿面に近い位置である。
つまり、駆動部材１０は、駆動プーリ６と従動プーリ７間に掛け渡され、読み取りユニットを駆動する駆動部材を固定する固定位置が駆動プーリ上面と従動プーリ上面を結ぶ線よりも原稿と反対側にある。
弾性部材９は読み取りユニット４の移動と共に駆動部材１０の傾斜角が変化するのに伴い張力も変化してしまうことを防止する働きを持つ。ここでは弾性部材９は従動プーリ７に力を与えているが、別にテンションプーリのようなものを介して張力を一定に保っても良い。この構成によって、原稿３と読み取りユニット４との位置関係を常時精度良く保てるので、画像を精度良く読み取ることができる。
【０００７】
【発明の効果】
請求項１ないし請求項４記載の発明によれば、読み取りユニットが絶えず被摺動部材に接した状態であるので、画像を読み取るための移動を精度良く行うことができる。また読み取りユニットは透明ガラスと直接接することがないので、透明ガラスを汚す危険のある潤滑剤等を使うことなしに、長期間振動や音のでない安定した動作ができる。
【図面の簡単な説明】
【図１】本発明の実施の形態に係る画像読み取り装置の構成図である。
【符号の説明】
１  透明ガラス
２  被摺動部材
３  原稿
４  読み取りユニット
５  摺動部
６  駆動プーリ
７  従動プーリ
８  固定位置
９  弾性部材
１０  駆動部材
１１  固定部材
【図１】
2004252380.tif 000003